(57)【特許請求の範囲】
【請求項１】
足の甲高部に対応するシューズのアッパーに設けられ、且つ、伸縮性を備えた伸縮部と、この伸縮部の伸縮により調節される足の甲高に適応させるベルトと、このベルトを介して取り付けられると共に、シューズのアッパーの外側及び内側の領域に位置し、且つ、シューズに取り付けられる各端部とこれらの各端部を繋ぐ仮想線を底辺とすると共に、アッパーの足の甲高部に対応する領域をカバーできる略三角形状の本体からなるプロテクタを備え、
前記プロテクタは、その底辺がシューズのベルトに固着されていると共に、その略三角形状の本体の頂点に対応する内外の端部のみが、ベルトを介して取付けられているシューズであって、
前記シューズの爪先部に補強樹脂が配置されていると共に、前記プロテクタの頂部は、前記補強樹脂の上方であって、その補強樹脂の縁まで覆っていることを特徴とするシューズ。
【請求項２】
足の甲高部に対応するシューズのアッパーに設けられ、且つ、伸縮性を備えた通気部と、この通気部の伸縮により調節される足の甲高に適応させるベルトと、このベルトを介して取り付けられると共に、シューズのアッパーの外側及び内側の領域に位置し、且つ、シューズに取り付けられる各端部とこれらの各端部を繋ぐ仮想線を底辺とすると共にアッパーの足の甲高部に対応する領域をカバーできる略三角形状の本体からなるプロテクタを備え、
前記プロテクタの底辺は、シューズのベルトに固着されていると共に、その略三角形状の本体の頂点に対応する内外の端部のみが、ベルトを介して取付けられているシューズであって、
前記シューズの爪先部に補強樹脂が配置されていると共に、前記プロテクタの頂部は、前記補強樹脂の上方であって、その補強樹脂の縁まで覆っていることを特徴とするシューズ。
【請求項３】
足の甲高部に対応するシューズのアッパーに設けられ、且つ、伸縮性を備えた伸縮部と、この伸縮部の伸縮により調節される足の甲高に適応させるベルトと、このベルトを介して取り付けられると共に、シューズのアッパーの外側及び内側の領域に位置する各端部とこれらの各端部を繋ぐ仮想線を底辺とすると共にアッパーの足の甲高部に対応する領域をカバーできる略三角形状の本体からなるプロテクタを備え、
前記プロテクタが、ベルトに対して一体的ではなく、独立的に固定されていると共に、その略三角形状の本体の頂点に対応する内外の端部のみが、ベルトに取付けられているシューズであって、
前記シューズの爪先部に補強樹脂が配置されていると共に、前記プロテクタの頂部は、前記補強樹脂の上方であって、その補強樹脂の縁まで覆っていることを特徴とするシューズ。
【請求項４】
足の甲高部に対応するシューズのアッパーに設けられ、且つ、伸縮性を備えた通気部と、この通気部の伸縮により調節される足の甲高に適応させるベルトと、このベルトを介して取り付けられると共に、シューズのアッパーの外側及び内側の領域に位置し、且つ、シューズに取り付けられる各端部とこれらの各端部を繋ぐ仮想線を底辺とすると共にアッパーの足の甲高部に対応する領域をカバーできる略三角形状の本体からなるプロテクタを備え、
前記プロテクタが、ベルトに対して一体的ではなく、独立的に固定されていると共に、その略三角形状の本体の頂点に対応する内外の端部のみが、ベルトに取付けられているシューズであって、
前記シューズの爪先部に補強樹脂が配置されていると共に、前記プロテクタの頂部は、前記補強樹脂の上方であって、その補強樹脂の縁まで覆っていることを特徴とするシューズ。
【発明の詳細な説明】
【技術分野】
【０００１】
本発明は、薬品等の落下物から医療従事者の足を保護するプロテクタ及びこれを用いたシューズ（靴とも表示する）に関するものである。
【背景技術】
【０００２】
医療従事者として、看護師は傷病者等に対する療養上の世話及び診療の補助等を行うが、その際に次のような危険にさらされている。
例えば、看護師が採血をしているときに誤って血液が飛び散り、その血液が看護師の足にかかった場合、血液感染の危険がある。
また、薬品を足元にこぼして、その薬品により足に火傷等を負う危険がある。
また、注射器が誤って看護師の足元に落下して、その注射針により足を怪我したり、感染する危険がある。
さらに、ストレッチャーのタイヤに足の指先を踏まれたりして怪我をする危険がある。
これらの危険は、足の指先から踵までを覆う靴を履くと共に、その靴の要所に、合皮を用いる靴を用意したり（特許文献１）、或いは補強材等を要所々に組み込んだ靴を用意することで、回避することができる。
【０００３】
しかし、このような靴は看護師等の医療従事者の身体の安全性を高めることができることに反比例して、看護師等の業務遂行の上で、足への着脱時の快適性、足への装着状態の快適性を犠牲にすることとなっていた。
【先行技術文献】
【特許文献】
【０００４】
【特許文献１】特開２０１１−９２４９４号公報
【発明の概要】
【発明が解決しようとする課題】
【０００５】
そこで、本願発明は、医療従事者の足の安全性を高めると共に、業務遂行の上で快適性も高めることができ、安全性と快適性の調和を図ることができるプロテクタ及びこれを用いるシューズを提供することを目的とする。
【課題を解決するための手段】
【０００６】
上記課題を解決するため、本願発明に係るシューズは、足の甲高部に対応するシューズのアッパーに設けられ、且つ、伸縮性を備えた伸縮部と、この伸縮部の伸縮により調節される足の甲高に適応させるベルトと、このベルトを介して取り付けられると共に、シューズのアッパーの外側及び内側の領域に位置し、且つ、シューズに取り付けられる各端部とこれらの各端部を繋ぐ仮想線を底辺とすると共に、アッパーの足の甲高部に対応する領域をカバーできる略三角形状の本体からなるプロテクタを備え、前記プロテクタは、その底辺がシューズのベルトに固着されていると共に、その略三角形状の本体の頂点に対応する内外の端部のみが、ベルトを介して取付けられているシューズであって、前記シューズの爪先部に補強樹脂が配置されていると共に、前記プロテクタの頂部は、前記補強樹脂の上方であって、その補強樹脂の縁まで覆っていることを特徴とする（請求項１に記載の発明）。
ここで、足の甲高部は、足の表面の内、足首から爪先にわたる背高の領域をいう。
【０００７】
このプロテクタは、シューズのアッパーの足の甲高部に対応する領域に、靴の快適性を図る機能を備えた部位を設ける場合に、その部位を保護することで、医療従事者の足の安全性を高めつつ、業務遂行の上で快適性も維持することができる。
また、シューズに対してプロテクタの各端部が取付個所となっており、その各端部以外は、シューズに対してフリーであることから、医療従事者が歩行する際の足首の動きや、足首を折り曲げる動きにも、各端部が基点となってプロテクタが足首の動きに追随することができ、プロテクタが足の動きの妨げとはならず、足の快適性を確保することができる。
このシューズでは、上記プロテクタの作用効果と共に、その伸縮部がプロテクタにより覆われるので、業務遂行の上で足の快適性も高めることができると同時に、落下物から医療従事者の足を保護することができる。
このシューズのベルトは、医療従事者の足の甲高に対応させて、シューズのトップラインの調整を図るものである。
このベルトとプロテクタを一体化させることで、シューズのトップラインに足首がフィットし、足の快適性を確保させることができると同時に、プロテクタの装着の煩わしさを避けることができ、さらにプロテクタの靴に対する取付状態を安定なものにすることができる。
【０００８】
上記課題を解決するため、足の甲高部に対応するシューズのアッパーに設けられ、且つ、伸縮性を備えた通気部と、この通気部の伸縮により調節される足の甲高に適応させるベルトと、このベルトを介して取り付けられると共に、シューズのアッパーの外側及び内側の領域に位置し、且つ、シューズに取り付けられる各端部とこれらの各端部を繋ぐ仮想線を底辺とすると共にアッパーの足の甲高部に対応する領域をカバーできる略三角形状の本体からなるプロテクタを備え、前記プロテクタの底辺は、シューズのベルトに固着されていると共に、その略三角形状の本体の頂点に対応する内外の端部のみが、ベルトを介して取付けられているシューズであって、前記シューズの爪先部に補強樹脂が配置されていると共に、前記プロテクタの頂部は、前記補強樹脂の上方であって、その補強樹脂の縁まで覆っていることを特徴とするシューズとした（請求項２に記載の発明）。
【０００９】
このシューズでは、上記作用効果と共に、その通気部がプロテクタにより覆われるので、医療従事者の足の安全性を高め、業務遂行の上で足の快適性も高めることができる。
【００１０】
上記課題を解決するため、足の甲高部に対応するシューズのアッパーに設けられ、且つ、伸縮性を備えた伸縮部と、この伸縮部の伸縮により調節される足の甲高に適応させるベルトと、このベルトを介して取り付けられると共に、シューズのアッパーの外側及び内側の領域に位置する各端部とこれらの各端部を繋ぐ仮想線を底辺とすると共にアッパーの足の甲高部に対応する領域をカバーできる略三角形状の本体からなるプロテクタを備え、前記プロテクタが、ベルトに対して一体的ではなく、独立的に固定されていると共に、その略三角形状の本体の頂点に対応する内外の端部のみが、ベルトに取付けられているシューズであって、前記シューズの爪先部に補強樹脂が配置されていると共に、前記プロテクタの頂部は、前記補強樹脂の上方であって、その補強樹脂の縁まで覆っていることを特徴とするシューズとした（請求項３に記載の発明）。
【００１１】
このプロテクタは、シューズのアッパーの足の甲高部に対応する領域に、靴の快適性を図る機能を備えた部位を設ける場合に、その部位を保護することで、医療従事者の足の安全性を高めつつ、業務遂行の上で快適性も維持することができる。
また、シューズに対してプロテクタの各端部が取付個所となっており、その各端部以外は、シューズに対してフリーであることから、医療従事者が歩行する際の足首の動きや、足首を折り曲げる動きにも、各端部が基点となってプロテクタが足首の動きに追随することができ、プロテクタが足の動きの妨げとはならず、足の快適性を確保することができる。
このシューズでは、上記プロテクタの作用効果と共に、その伸縮部がプロテクタにより覆われるので、業務遂行の上で足の快適性も高めることができると同時に、落下物から医療従事者の足を保護することができる。
このシューズのベルトは、医療従事者の足の甲高に対応させて、シューズのトップラインの調整を図るものである。
【００１２】
上記課題を解決するため、足の甲高部に対応するシューズのアッパーに設けられ、且つ、伸縮性を備えた通気部と、この通気部の伸縮により調節される足の甲高に適応させるベルトと、このベルトを介して取り付けられると共に、シューズのアッパーの外側及び内側の領域に位置し、且つ、シューズに取り付けられる各端部とこれらの各端部を繋ぐ仮想線を底辺とすると共にアッパーの足の甲高部に対応する領域をカバーできる略三角形状の本体からなるプロテクタを備え、前記プロテクタが、ベルトに対して一体的ではなく、独立的に固定されていると共に、その略三角形状の本体の頂点に対応する内外の端部のみが、ベルトに取付けられているシューズであって、前記シューズの爪先部に補強樹脂が配置されていると共に、前記プロテクタの頂部は、前記補強樹脂の上方であって、その補強樹脂の縁まで覆っていることを特徴とするシューズとした（請求項４に記載の発明）。
このシューズでは、上記作用効果と共に、その通気部がプロテクタにより覆われるので、医療従事者の足の安全性を高め、業務遂行の上で足の快適性も高めることができる。
【００１３】
上記各発明において、前記各シューズの爪先部に補強材としての補強樹脂を配置することで、足の安全性を高めることができる。
【００１４】
前記各シューズのボトムには通気孔が設けられ、業務遂行の上で足の快適性が図られている。この通気孔は、空気の流れを前記通気部に連動させることができる。
シューズのアッパーは撥水機能を備えた素材で構成するようにして、足の安全性を高めることができる。
【発明の効果】
【００１５】
本願発明は、プロテクタにより医療従事者の足の安全性を高めることができ、そのプロテクタを付けたシューズにおいても業務遂行の上で足の快適性も高めることができ、安全性と快適性の調和を図ることができる。
【図面の簡単な説明】
【００１６】
【図１】図１は実施例１に係るシューズの平面図、
【図２】図２は同シューズの内側側面図、
【図３】図３は同シューズの外側側面図、
【図４】図４は同シューズの分解側面図、
【図５】図５は実施例２の外側側面図、
【図６】図６は同シューズの分解側面図である。
【発明を実施するための形態】
【００１７】
本願発明に係るプロテクタは、シューズのアッパーの外側及び内側の領域に位置し、且つ、シューズに取り付けられる各端部と、これらの各端部を繋ぐ仮想線を底辺とすると共に、アッパーの足の甲高部に対応する領域をカバーできる略三角形状の本体からなるもので、薬品等の落下物から医療従事者の足を保護すると共に、このプロテクタをシューズのベルトを介してシューズに取り付けたものである。
【実施例１】
【００１８】
図１乃至図４に示すシューズ１は、アッパー２とボトム３からなり、前記アッパー２は爪先部２０、腰部２１、ヒールステイ部２２、トップライン２３及びベルト２４を備え、前記ボトム３はアウトソール３０、ミッドソール３１及びインソール３２を備えると共に、前記ベルト２４にはプロテクタ４が一体的に取り付けられている。
【００１９】
前記アッパー２の爪先部２０は、その先芯に足指上部全体を覆う、アーチ状の補強樹脂５を内蔵させている。例えば、爪先部２０にストレッチャーのタイヤが接触したり、同タイヤに踏まれたりしても、爪先が怪我をしないようにしている。
なお、前記補強樹脂５は、足指の全体を覆うものであり、その屈伸を妨げるものではない。
【００２０】
前記アッパー２の腰部２１は、トップライン２３の前方の縁２３０から足の甲高部に沿って、爪先部２０方向に、略長方形に切り欠かれた切欠部２１０と、この切欠部２１０の切欠縁に沿って設けられた伸縮部６と、その伸縮部６の外側であって、足の土ふまずに対応する位置に前記ベルト２４を係脱自在に取付ける面ファスナー（ベルクロ）７を備えている。
【００２１】
前記腰部２１の伸縮部６は、前記トップライン２３の縁２３０を残して、前記切欠部２１０を覆うもので、シューズ１のトップライン２３に伸縮性を与え、足の甲高部をフィットさせる調節機能を備えている。
【００２２】
これらアッパー２を構成する各部材の爪先部２０、腰部２１及びヒールステイ部２２は、撥水機能を備えた素材で構成されており、薬剤、血液等の液体がシューズ内に浸入しないようにされている。
【００２３】
前記ベルト２４は、その外側端部２４０が前記面ファスナー７に係脱自在となる面ファスナー（ベルクロ）２４１を備え、その内側端部２４２がシューズ１の腰部２１の内側に固定されている。
かかるベルト２４は、前記腰部２１の切欠部２１０の縁２３０を覆うようにして、足の甲高部が快適にフィットされるようにしている。
【００２４】
前記ベルト２４に固着されているプロテクタ４は、前記ベルト２４のカーブに沿って形成される曲線と同様な曲線を底辺４０にして、前記アッパー２の爪先部２０と腰部２１の境界線２１１に近似する曲線を対辺４１とした略三角形状の本体４２と、前記ベルト２４の外側端部２４０と内側端部２４２に対応する位置であって、アッパー２とボトム３の境界に近い位置の上方に内外端部４３、４４が設けられている。
【００２５】
前記プロテクタ４の対辺４１は、図２のように爪先部２０と腰部２１の境界線２１１に近似する線にて形成されているので、シューズ１のアッパー２の構成に調和的である。
前記プロテクタ４の頂部４５は、前記境界線２１１に沿うようにラウンドが付けられると共に、前記爪先部２０に設けられた補強樹脂５の上方まで覆っている。
【００２６】
前記プロテクタ４の外端部４３では、前記面ファスナー（ベルクロ）７と面ファスナー（ベルクロ）２４１とが係合し、また前記プロテクタ４の内端部４４ではピン止めされることで、前記プロテクタ４が靴１に対して変位自在に構成されている。
【００２７】
このように構成される前記プロテクタ４は、透明なＰＶＣ（塩化ビニル）シートで作られている。
【００２８】
前記ボトム３には、アウトソール３０からインソール３２に貫通する通気孔３３が設けられていて、シューズ１の装着時の快適性が図られている。
【００２９】
以上のように構成されたシューズ１は、前記ベルト２４の外側端部２４０のベルクロ２４１とシューズ１のベルクロ７を引き離して、トップライン２３から足を差し入れて、伸縮部６を引きのばすように、足首をシューズ１に収める。そして、前記ベルト２４により足にフィットさせるように、前記ベルト２４の外側端部２４０のベルクロ２４１とシューズ１のベルクロ７を係合させればよい。
【００３０】
以上のシューズ１によれば、次のように効果がある。
１．  シューズ１のアッパー２の腰部２１に比較的大きな伸縮部６を設けると共に、この伸縮部６をプロテクタ４が覆い、且つ、アッパー２の足の甲高部に対応する領域をカバーすることから、医療従事者の足の安全性を高めることができる。また、プロテクタ４が足の運動を妨げることなく、業務遂行の上で足の快適性も高めることができる。
２．  プロテクタ４は、その内外の端部４３，４４のみが、ベルト２４を介してシューズ１に取付けられ、足首の動きに柔軟に対応させることができ、業務遂行の上で足の快適性も高めることができる。
３．  プロテクタ４は透明であり、また、その対辺４１は爪先部２０と腰部２１の境界線２１１に近似する線にて形成され、その頂部４５は、前記境界線２１１に沿うようにラウンドが付けられるので、シューズ１のアッパー２の構成に調和的でもあり、履き心地のよいシューズを提供することができる。
４．  前記ベルト２４にプロテクタ４が一体的に固着されているので、シューズ１を履いてベルト２４により足首をかためた時点で、同時にプロテクタ４が装着されることとなり、プロテクタ４の装着の煩わしさがない。
５.  前記アッパー２の爪先部２０の補強樹脂５により、足の爪先が保護される。
６．  シューズ１のアッパー２は、撥水機能を備えた素材で構成されているので、薬剤等の液体が靴内に侵入することを防ぐことができる。
【実施例２】
【００３１】
次に図５及び図６に基づいて、実施例２に係るシューズ１Ａの構成例を説明する。
このシューズ１Ａが実施例１に係るシューズ１と異なる主な点は、次の通りうである。
第１は、前記伸縮部６に代えて、通気部６Ａを設けていること、
第２は、前記プロテクタ４Ａが、ベルト２４に対して一体的ではなく、独立的に固定されていることである。
【００３２】
前記通気部６Ａは、前記切欠部２１０に伸縮性を備えたメッシュ素材（ストレッチメッシュ）を取り付けたもので、シューズ１Ａの内外の空気の流通を図る通気機能と、足の甲高部をフィットさせる調節機能を備えている。
【００３３】
前記プロテクタ４Ａはその内外端部４３,４４のみがベルト２４に取り付けられており、プロテクタ４Ａはベルト２４及びシューズ１Ａに対して変位自在に取り付けられている。
【００３４】
前記プロテクタ４Ａの外側端部４３は、図６に図示されているように、アッパー２の外側に位置する前記ベルト２４の外側端部２４０に、ボタンでカシメて取り付けられているが、前記プロテクタ４Ａの内側端部４４は、アッパー２の内側に位置する前記ベルト２４の内側端部２４２と共にボタンにより回動自在に腰部２１に取り付けられている。
【００３５】
その他の構成は、実施例１のシューズと同様であり、同様な作用効果を奏する他、前記伸縮部６に代えて、通気部６Ａを設けていることで、前記通気孔３３と共に、シューズ１Ａの装着時の快適性がより高まっている。
また、前記プロテクタ４Ａが、ベルト２４に対して一体的ではなく、独立的に構成され、しかも前記プロテクタ４Ａの内側端４４がベルト２４に対して、回動自在に取り付けられていることから、足の動きに対してプロテクタ４Ａを柔軟に対応させることができる。
【００３６】
本発明は以上説明した実施例に限定されるものではなく、多くの変形が本発明の技術的思想内で当分野において、通常の知識を有する者により可能である。
【符号の説明】
【００３７】
１  １Ａ  シューズ
２  アッパー
２０  爪先部
２１  腰部
２１０  切欠部                          ２１１  境界線
２２  ヒールステイ部
２３  トップライン                      ２３０  縁
２４  ベルト
２４０  外側端部                        ２４１  面ファスナー（ベルクロ）
２４２  内側端部
３  ボトム
３０  アウトソール                      ３１  ミッドソール
３２  インソール
３３  通気孔
４  ４Ａ  プロテクタ
４０  底辺                              ４１  対辺
４２  本体                              ４３  端部
４４  端部                              ４５  頂部
５  補強樹脂
６  伸縮部
６Ａ  通気部
７  面ファスナー（ベルクロ）
【図１】
0005231619.tif 000002
【図２】
0005231619.tif 000003
【図３】
0005231619.tif 000004
【図４】
0005231619.tif 000005
【図５】
0005231619.tif 000006
【図６】
0005231619.tif 000007